(57)【要約】【課題】複数のカメラから頻繁にかつ不規則にフラッシュがたかれているような動画を実現することができる撮像装置及び撮像方法を提供する。【解決手段】撮像手段６と、画像記憶部４２と、被写界に向けて発光する発光手段１２と、撮像手段６によって撮像された動画データを画像記憶部４２に記録するとともに、その記録中に断続的に発光手段１２を発光させる処理部１０とを備える動画記録装置９９である。動画データの記録中に処理部１０により断続的に発光手段１２を発光させるため、複数のカメラから頻繁にかつ不規則にフラッシュがたかれているかのような動画データを画像記憶部４２に記録することができる。【選択図】図１
2006180149.tif 000002
【特許請求の範囲】
【請求項１】
被写体像が写し込まれる撮像手段と、この撮像手段に写し込まれた被写体像を動画像として記録する動画像記録手段とを備えた撮像装置において、前記被写体に向けて発光する発光手段と、前記動画像記録手段に前記撮像手段に写し込まれた被写体像を動画像として記録している際に前記発光手段を断続的に発光させる発光制御手段とを備えることを特徴とする撮像装置。
【請求項２】
発光強度と発光タイミングが対応づけられたテーブルを記憶した記憶部を更に備え、前記
発光制御手段は、前記テーブルに従って前記発光手段を断続的に発光させることを特徴とする請求項１に記載の撮像装置。
【請求項３】
更に、外部操作キーを備え、この外部操作キーが操作される毎に前記発光制御手段は前記発光手段を断続的に発光させることを特徴とする請求項１または２に記載の撮像装置。
【請求項４】
前記発光制御手段による前記発行手段の発光は予め定められた時間間隔に行われることを特徴とする請求項１に記載の撮像装置。
【請求項５】
被写体像が写し込まれる撮像手段と、この撮像手段に写し込まれた被写体像を動画像として記録する動画像記録手段と、この動画像記録手段に記録された動画像を再生する再生手段とを備えた撮像装置において、前記再生手段による前記動画像記録手段に記録された動画像の再生時に予め定められたタイミングで再生される動画像の輝度を断続的に高めて再生することを特徴とする撮像装置。
【請求項６】
前記予め定められたタイミングは、前記動画像記録手段によって前記動画像を記憶する際に設定されたタイミングであることを特徴とする請求項５に記載の撮像装置。
【請求項７】
撮像手段に写し込まれた被写体像を動画像として動画像記録手段に記録する記録ステップと、この記録ステップによる記録がなされている際に操作キーを操作することによって被写体に向けて発光手段を断続的に発光させる発光制御ステップとを備えたことを特徴とする撮像方法。
【発明の詳細な説明】
【技術分野】
【０００１】
本発明は、動画像の撮像装置及び撮像方法に関する。
【背景技術】
【０００２】
静止画像を撮影する撮像装置では、自然光だけでは光量が不足する場合に、ストロボを発光させることにより光量を補うことが一般的である。
【０００３】
近年では、ＣＣＤ撮像素子を用いたデジタルカメラが普及している。ＣＣＤ撮像素子を用いたデジタルカメラでは、スチル（静止画）撮影の他に、ビデオ（動画）撮影も可能とされている。
【０００４】
ビデオ撮影時に光量が不足する場合には、従来は外付けの照明装置を用いて光量を補っていた。また、例えば特許文献１に記載のストロボ装置のように、ストロボを所定の周波数で連続発光させながらビデオ撮影を行うことも提案されている。
【特許文献１】特開２００３−２３３１０８号公報
【発明の開示】
【発明が解決しようとする課題】
【０００５】
ところで、結婚式における新郎新婦入場の場面やケーキ入刀等の場面、あるいは表彰式における表彰の場面等の華やかな場面では、多くの人がスチル撮影するため、フラッシュが頻繁にたかれる。このような場面をビデオ撮影すると、再生される動画にはフラッシュが頻繁にたかれた場面が表示され、多数の人が注目或いは祝福し、その場が盛り上がっていた様子が表現される。
【０００６】
しかしながら、例えば学校での学芸会や音楽教室の演奏会等で、自分の子供が演技あるいは演奏をしている場面等をビデオ撮影する場合には、自分の子供が他の人の撮影対象にならず、頻繁にフラッシュがたかれることはない。そのため、再生される動画には大勢の人に注目あるいは祝福されている様子が感じられず、盛り上がりにかけてしまう。
【０００７】
特許文献１に記載の装置を用いて、ストロボを所定の周波数で連続発光させることもできるが、規則的な発光であるため、多数の人がフラッシュを頻繁にかつ不規則にたく様子を表現することはできない。
【０００８】
本発明の課題は、複数のカメラから頻繁にかつ不規則にフラッシュがたかれているような動画を実現することができる撮像装置及び撮像方法を提供することである。
【課題を解決するための手段】
【０００９】
以上の課題を解決するため、請求項１に記載の発明による撮像装置は、被写体像が写し込まれる撮像手段と、この撮像手段に写し込まれた被写体像を動画像として記録する動画像記録手段とを備えた撮像装置において、前記被写体に向けて発光する発光手段と、前記動画像記録手段に前記撮像手段に写し込まれた被写体像を動画像として記録している際に前記発光手段を断続的に発光させる発光制御手段とを備えることを特徴とする。
【００１０】
また、請求項２の撮像装置は、発光強度と発光タイミングが対応づけられたテーブルを記憶した記憶部を更に備え、前記発光制御手段は、前記テーブルに従って前記発光手段を断続的に発光させることを特徴とする。
【００１１】
更に、請求項３の撮像装置は、更に、外部操作キーを備え、この外部操作キーが操作される毎に前記発光制御手段は前記発光手段を断続的に発光させることを特徴とする。
【００１２】
更にまた、請求項４の撮像装置は、前記発光制御手段による前記発行手段の発光は予め定められた時間間隔に行われることを特徴とする。
【００１３】
また、請求項５の撮像装置は、被写体像が写し込まれる撮像手段と、この撮像手段に写し込まれた被写体像を動画像として記録する動画像記録手段と、この動画像記録手段に記録された動画像を再生する再生手段とを備えた撮像装置において、前記再生手段による前記動画像記録手段に記録された動画像の再生時に予め定められたタイミングで再生される動画像の輝度を断続的に高めて再生することを特徴とする。
【００１４】
更に、請求項６の撮像装置は、前記予め定められたタイミングは、前記動画像記録手段によって前記動画像を記憶する際に設定されたタイミングであることを特徴とする。
【００１５】
請求項７による本発明の撮像方法は、撮像手段に写し込まれた被写体像を動画像として動画像記録手段に記録する記録ステップと、この記録ステップによる記録がなされている際に操作キーを操作することによって被写体に向けて発光手段を断続的に発光させる発光制御ステップとを備えたことを特徴とする。
【発明の効果】
【００１６】
本発明によれば、複数のカメラから頻繁にかつ不規則にフラッシュがたかれているかのように輝度が断続的に変化する動画を実現することができ、大勢の人に注目あるいは祝福されている様子を表現することができる。
【発明を実施するための最良の形態】
【００１７】
以下、図面を用いて、本発明の実施の形態について詳細に説明する。但し、以下に述べる実施形態には、本発明を実施するために技術的に好ましい種々の限定が付されているが、発明の範囲を以下の実施形態及び図示例に限定するものではない。
【００１８】
〔第１の実施の形態〕
図１は本発明に係る動画記録装置として、スチル（静止画）撮影及びビデオ（動画）撮影を行うことができるデジタルカメラ９９の構成を示すブロック図である。
【００１９】
光学系２は、ズームレンズ又は単焦点レンズであって、外部の被写体像を撮像素子８に結像するものである。
【００２０】
光学駆動装置１は光学系２を駆動するものであり、光学系２がズームレンズである場合、光学駆動装置１によって光学系２が駆動されることによって、光学系２が合焦位置に調整され焦点合わせがなされる。光学駆動装置１は、後述する情報処理部１０からの制御信号によって制御される。
【００２１】
シャッタ４は、電気信号に基づいて開閉動作及び走行速度を制御される電子シャッタである。シャッタ駆動装置３は、シャッタ４の開閉動作及び走行速度を制御する。シャッタ駆動装置３は、情報処理部１０によって制御される。スチル撮影の際はシャッタ４が開くことによって、被写界の像が光学系２撮像素子６の受光面に結像され、ビデオ撮影の際にはシャッタ４は開放状態を維持する。
【００２２】
撮像素子６は、ＣＣＤ型の撮像素子であって、前面にＲＧＢのカラーフィルター（図示せず）が配置され、画素ごとに被写体からの光量を光電変換することによって画信号を生成する。
【００２３】
読出駆動装置５は撮像素子６に読み出しパルスを供給して画信号を読み出し駆動するものであり、撮像素子６の光電変換により生成された画信号（Ｒ信号、Ｇ信号、Ｂ信号）は、ＣＤＳ／ＡＧＣアンプ７に出力される。
【００２４】
ＣＤＳ／ＡＧＣアンプ７は、撮像素子６から出力された画信号をサンプリングホールドするとともに、画信号の利得を自動調整し、画信号のノイズを除去するとともに増幅した後に、Ａ／Ｄ（アナログ／デジタル）変換器８に出力する。
【００２５】
Ａ／Ｄ変換器８は、ＣＤＳ／ＡＧＣアンプ７から入力される画信号を所定ビットのデジタル信号に変換し、デジタル画像データに変換し、情報処理部１０に出力する。なお。読出駆動装置５、Ａ／Ｄ変換器８及びＣＤＳ／ＡＧＣアンプ７の動作タイミングは、情報処理部１０からの制御信号により制御される。
【００２６】
計時部４６は、計時基準クロック信号を生成する発振回路（図示せず）を有し、クロック信号を計時して年、日付、時刻等の現在時刻情報を得て情報処理部１０に出力する。
【００２７】
送受信部４７は、外部のパーソナルコンピュータや印刷装置など外部コンピュータ等の外部周辺機器との間で有線または無線で各種データの送受信を行う。
【００２８】
表示駆動部４４は、情報処理部１０からの動作指令に基づき、表示部４５を動作させる。表示部４５は、カラー液晶モニタ又はカラーのエレクトロルミネッセンスディスプレイを有し、表示駆動部４４によって駆動されることによって表示を行う。
【００２９】
なお、表示部４５には、撮影時にはＡ／Ｄ変換器８から情報処理部１０に入力された画信号に従った画像が表示され、再生時にはＲ／Ｗ（リード／ライト）制御部４１によって画像記憶部４２から情報処理部１０に読み出された画像データに従った画像が表示される。
【００３０】
Ｒ／Ｗ制御部４１は、情報処理部１０で処理された画像データを画像記憶部４２に書き込んだり、画像記憶部４２から情報処理部１０へ画像データを読み出したりする。画像記憶部４２は読み書き可能な不揮発性メモリであり、画像記憶部４２として内部メモリや、着脱可能な外部メモリを用いることができる。
【００３１】
ストロボ１２は被写界に向けて光を照射する発光装置である。ストロボ１２には、例えばキセノン管、赤・緑・青の三色のＬＥＤ（発光ダイオード）からなる白色ＬＥＤも用いることができるが、その他の任意の発光素子を用いても良い。
【００３２】
スチル撮影時には光量の不足を補うためにストロボ１２が発光し、ビデオ撮影時には詳細を後述する所定のタイミングでストロボ１２が発光する。
【００３３】
ストロボ制御回路１１は、ストロボ１２を発光させるために電荷を蓄え、情報処理部１０からの動作指令に基づきストロボ１２を発光させる。なお、ストロボ制御回路１１によるストロボ１２の発光タイミングは、情報処理部１０により制御される。
【００３４】
センサ部１４は、詳細は図示していないが、被写体の色温度を測定する測色センサ、被写体までの距離を測定する測距センサ、被写体の光量を測定する測光センサなどから構成される。
【００３５】
センサ駆動／読出回路１３は、情報処理部１０からの動作指令に基づき、センサ部１４を駆動すると共に、センサ部１４から出力された色温度情報、距離情報、光量情報などの情報を情報処理部１０に出力する。
【００３６】
キー入力部４３は、モード切替キーＫ１、撮影モード切替キーＫ２、シャッターキーＫ３、フラッシュキーＫ４、カーソルキーＫ５や決定キーＫ６、その他のキー（図示せず）を有し、これらのキーの操作内容に応じた信号を情報処理部１０に出力する。
【００３７】
モード切替キーＫ１は、ユーザの操作により、カメラ機能を撮影モード、再生モード、消去モード、送受信モードのいずれかのモードに切り替えるためのものである。
【００３８】
撮影モード切替キーＫ２は、撮影モードにおいて、ユーザの操作によりスチル撮影モード、ビデオ撮影モードのいずれかの撮影モードに切り替えるためのものである。
【００３９】
シャッターキーＫ３は、ユーザの操作により半押し及び全押しの２段階に操作される。シャッターキーＫ３の半押しでは、情報処理部１０に入力される画像データに従った画像が表示部４５に表示され、情報処理部１０によって撮影条件を設定する撮影事前処理（測光処理、オートフォーカス処理等）が行われる。
【００４０】
シャッターキーＫ３の全押しでは、スチル撮影モードにおいては、スチル画の撮影が行われる。また、ビデオ撮影モードにおいては、撮影停止中であれば撮影が開始され、撮影中であれば撮影が停止される。
【００４１】
フラッシュキーＫ４は、ストロボ１２の発光のためのキーである。
【００４２】
カーソルキーＫ５は、撮影時や再生時のメニューにおいて表示部４５に表示されるカーソルを移動させるためのキーである。決定キーＫ６は、カーソルにより選択されるメニューや見本画像を決定するためのキーである。
【００４３】
ＲＯＭ３０には、情報処理部１０によって読取可能で各種処理の為のプログラムが格納されている。また、ＲＯＭ３０には、図３に示すようなストロボ発光テーブル９０が格納され、更に詳細は後述するが図１３に示すような撮影条件に対応する見本画像等が格納されている。
【００４４】
図３において、ストロボ発光テーブル９０は、後述する乱数処理により選択される複数のフォーマットＦ１、Ｆ２、Ｆ３、…を有する。各フォーマットにおいては、ストロボ１２の発光強度データと発光タイミングデータが対応づけられて記憶されている。
【００４５】
発光強度データは、ストロボの発光輝度を示すデータであり、強（高輝度）、中（中輝度）、弱（低輝度）の何れかが記憶されている。発光タイミングデータは、次に発光するまでの時間的間隔（秒単位）データとして表されている。例えば図３においてフォーマット１には、上段に発光強度データが、下段に次に発光するまでの時間（秒）データが予め定められて記憶されている。例えばフォーマット１は、『弱発光、その１秒後の強発光、その１秒後の強発光、その０．５秒後の弱発光、その１秒後の弱発光、その０．５秒後の強発光、その０．５秒後の強発光、その０．５秒後の中発光』を表している。
【００４６】
図１に戻り、情報処理部１０は、ＣＰＵからなり、ＲＯＭ３０に格納されたプログラムに従ってＲＡＭ２０を記憶領域としてデジタルカメラ９９全体の制御を行うものである。また、Ａ／Ｄ変換器８より入力されるデジタルの画信号をＪＰＥＧやＭＰＥＧ等の所定形式の画像データに変換したり、画像データの変調や補正をしたりする画像処理部（図示せず）も備える。
【００４７】
ＲＡＭ２０は、情報処理部１０に記憶領域を提供するメモリである。図２を用いてＲＡＭ２０の記憶領域について説明する。図２は、情報処理部１０によりＲＡＭ２０に作成される記憶領域を表した概略図である。ＲＡＭ２０の記憶領域は、図２に示すように、モード記憶部２３、撮影モードフラグ記憶部２４、撮影状況フラグ記憶部２５、計測時間記憶部２６、撮影条件記憶部２１、ワークエリア２２等からなる。
【００４８】
モード記憶部２３には、撮影モード、再生モード、消去モード、送受信モードの何れかのモードを表すフラグ値Ｍが記憶される。例えば、撮影モードではモード記憶部２３のフラグＭがゼロ（０）となり、再生モードではフラグＭが１となり、消去モードではフラグＭが２となり、送受信モードではフラグＭが３がとなる。なお、ユーザがキー入力部４３のモード切換キーＫ１を操作すると、情報処理部１０によってフラグＭが順次０から３に書き換えられる。
【００４９】
撮影モードフラグ記憶部２４には、撮影モードにおける撮影が、スチル撮影モード、ビデオ撮影モードの何れかを示すフラグＫが記憶される。例えば、スチル撮影モードではＫがゼロとなり、ビデオ撮影モードではフラグＫが１となる。なお、ユーザがキー入力部４３の撮影モード切替キーＫ２を操作すると、情報処理部１０によってフラグＫが０から１、或いは１から０に書き換えられる。
【００５０】
撮影状況フラグ記憶部２５には、ビデオ撮影モードにおいて撮影が行われているか否かを表すフラグＬが記憶される。撮影が行われている場合には、フラグＬがゼロであり、撮影が行われていない場合には、フラグＬが１である。なお、ビデオ撮影モードにおいてユーザがシャッターキーＫ３を全押しする度に、情報処理部１０によってフラグＬが０から１、或いは１から０に書き換えられる。
【００５１】
計測時間記憶部２６には、撮影中や再生中の計測時間データ（タイマー時間）Ｔが記憶される。
【００５２】
撮影条件記憶部２１には、シャッタ速度、絞り、ホワイトバランス調整値等の撮影条件が記憶される。
【００５３】
ワークエリア２２は、各種処理を実行する為に各種情報が一時的に記憶されるエリアである。
【００５４】
続いて、撮影モードにおけるデジタルカメラ９９の動作処理及び使用方法について図４以下の動作フローチャートを用いて説明する。図４は、モード記憶部２３のフラグＭがゼロである場合（撮影モードである場合）において、シャッターキーＫ３が操作された際のＲＯＭ３０に格納されたプログラムに従った情報処理部１０の処理の流れを示したフローチャートである。まず、情報処理部１０は、キー入力部４３のシャッターキーＫ３が半押しされたか否かを判定する（ステップＳ１）。そして、ユーザがシャッターキーＫ３を半押しするとその旨がキー入力部４３から情報処理部１０に入力されて判断され（ステップＳ１：Ｙｅｓ）、情報処理部１０が撮影事前処理を行う（ステップＳ２）。撮影事前処理としては、情報処理部１０がセンサ部１４からセンサ駆動／読出回路１３を介して入力した測距情報、光量情報、色温度情報を基に、光学駆動装置１を介して光学系２を合焦するＡＦ処理、ＥＶ値を求めて露出を決めるＡＥ処理、適正なホワイトバランスに調整するＡＷＢ処理等がある。
【００５５】
次に、情報処理部１０はキー入力部４３のシャッターキーＫ３が全押しされたか否かを判定し（ステップＳ３）、シャッターキーＫ３が全押しされると（ステップＳ３：Ｙｅｓ）、情報処理部１０の処理はステップＳ４に移行する。なお、シャッターキーＫ３が全押しされる前に、シャッターキーＫ３の半押しが解除されると、情報処理部１０の処理はステップＳ１に戻る。
【００５６】
ステップＳ４においては、情報処理部１０は、撮影モードフラグ記憶部２４のフラグＫに基づきスチル撮影モードであるか、それともビデオ撮影モードであるかを判定する。ここで、シャッターキーＫ３の半押し前にユーザがキー入力部４３の撮影モード切替キーＫ２を操作することにより、スチル撮影モードにされていたら（撮影モードフラグ記憶部２４のフラグＫがゼロであったら）、情報処理部１０の処理はステップＳ５に移行する。一方、シャッターキーＫ３の半押し前にユーザがキー入力部４３の撮影モード切替キーＫ２を操作することにより、ビデオ撮影モードにされていたら（撮影モードフラグ記憶部２４のフラグＫが１であったら）、情報処理部１０の処理はステップＳ６に移行する。
【００５７】
ステップＳ５においては、情報処理部１０は、ＣＤＳ／ＡＧＣアンプ７及びＡ／Ｄ変換器８を介して入力した画信号を適切なホワイトバランスに調整し、ホワイトバランス調整された画信号を符号化及び圧縮など信号処理し、その画信号を画像データとして画像記憶部４２に記録する。その後、情報処理部１０の処理はステップＳ１に戻る。
【００５８】
ステップＳ６においては、情報処理部１０は、現在ビデオ撮影中か（撮影状況フラグ記憶部２５のフラグＬが１であるか）、それとも現在ビデオ撮影の停止中であるか（撮影状況フラグ記憶部２５のフラグＬがゼロであるか）を判定する。
【００５９】
シャッターキーが全押し操作されたのが撮影停止中であるのならば（フラグＬがゼロであるのならば）、情報処理部１０は、ビデオ撮影処理の開始を行わせ（ステップＳ７）、フラグＬを１にするとともに、計測時間記憶部２６でのタイマー時間Ｔの計時を開始する（ステップＳ８）。その後、情報処理部１０の処理は、ステップＳ１に戻る。ステップＳ７でビデオ撮影処理が開始されると、ＣＤＳ／ＡＧＣアンプ７及びＡ／Ｄ変換器８を介して入力した撮像素子６からの画信号を例えばＭＰＥＧ規格に従ってフレーム毎に順次符号化及び圧縮など信号処理し、その信号処理された動画像データを順次画像記憶部４２に記録する。
【００６０】
一方、シャッターキーＫ３が全押し操作されたのが撮影中であるのならば（フラグＬが１であるのならば）、情報処理部１０は、ビデオ撮影処理を停止し（ステップＳ９）、フラグＬをゼロにするとともに、タイマー時間Ｔの計時を例えば録画時間として画像機億部４２に記憶させた後、クリアする（ステップＳ１０）。その後、情報処理部１０の処理は、ステップＳ１に戻る。
【００６１】
以上の如く、ビデオ撮影モードにおいてユーザがシャッターキーＫ３を全押しするごとにビデオ撮影の開始又は停止が行われる。情報処理部１０は、ビデオ撮影処理を開始すると、ＣＤＳ／ＡＧＣアンプ７及びＡ／Ｄ変換器８を介して入力した画信号を順次合成していくことで所定の動画データを生成し、その動画データを画像記憶部４２に記憶する。
【００６２】
次に、ビデオ撮影中にフラッシュキーＫ４がＫ４が操作された際の情報処理部１０の処理の流れを図５のフローチャートを用いて説明する。図５に示すように、情報処理部１０は、キー入力部４３のフラッシュキーＫ４が操作されたか否かを判定する（ステップＳ１１）。ユーザがキー入力部４３のフラッシュキーＫ４を操作したら（ステップＳ１１：Ｙｅｓ）、情報処理部１０は、ストロボ制御回路１１の充電電圧がフラッシュ処理でストロボ１２を発光させるのに充分であるか否かを判別する（ステップＳ１２）。
【００６３】
そして、情報処理部１０は、ストロボ制御回路１１の充電電圧が充分であると判別した場合に（ステップＳ１２：Ｙｅｓ）、乱数を発生させ、図３に示したストロボ発光テーブル９０から乱数結果に応じたフォーマットを選択してそのフォーマットのデータ（発光強度データ及び発光タイミングデータ）をＲＡＭ２０のワークエリア２２に読み込む（ステップＳ１３）と共にステップＳ１４に進む。一方、情報処理部１０は、ストロボ制御回路１１の充電電圧を充分でないと判別した場合に（ステップＳ１２：Ｎｏ）、ストロボ充電電圧が不足している旨を表示部４５に表示させ（ステップＳ１５）、このフローを終了する。
【００６４】
ステップ１４では、情報処理部１０は、読み込んだフォーマットの発光強度データ及び発光タイミングデータに従ってフラッシュ処理を行う。即ち、情報処理部１０は、読み込んだフォーマットの発光タイミングになったことをタイマー時間Ｔの計測時間などを基に判別し、それに対応づけられた発光強度でストロボ１２をストロボ制御回路１１を介して順次発光させる。
【００６５】
例えば、フォーマットＦ１をワークエリア２２に読み込んだ場合には、情報処理部１０は、まずストロボ１２を弱発光させ、その１秒後にストロボ１２を強発光させ、その１秒後にストロボ１２を強発光させ、その０．５秒後にストロボ１２を弱発光、その１秒後にストロボ１２を弱発光、その０．５秒後にストロボ１２を強発光、その０．５秒後にストロボ１２を強発光、その０．５秒後にストロボ１２を中発光させる。このように、ビデオ撮影時においては、フラッシュキーＫ４が操作される毎にストロボ１２が断続的に複数回発光する。
【００６６】
その後、情報処理部１０の処理はステップＳ１１に戻り、次にまたユーザがキー入力部４３のフラッシュキーＫ４を操作すると、同様な動作が再度繰り返される。
このように、ビデオ撮影中にユーザが所望の場面でフラッシュキーＫ４を操作すると、その都度断続的にストロボ１２を発光させることで、フラッシュが頻繁にたかれた動画像を記録することができ、再生される動画では、多数の人が注目或いは祝福し、その場が盛り上がっていた様子を表現することができる。
【００６７】
尚、図５のフローチャートに示した処理においては、ユーザがキー入力部４３のフラッシュキーＫ４を操作すると、充電が十分であれば、常にフラッシュ処理が行われてしまい、たとえ誤ってフラッシュキーＫ４を操作した場合でもストロボ１２が発光してしまう。
【００６８】
そこで、ストロボ１２の発光を望まない時には、フラッシュキーＫ４が誤って操作された場合に、ストロボ１２が発光しないようにすることが好ましい。図６は、このための変形例を示すもので、図６に示すように、ＲＡＭ２０の記憶領域には、更にフラッシュモード記憶部２７が情報処理部１０により作成され、キー入力部４３には、図示していないがフラッシュモード選択キーを設ける。そして、ユーザがビデオ撮影時にフラッシュ処理を行うことを好まない場合には、フラッシュモード記憶部２７のフラグＦを予めゼロに設定しておき、ユーザがフラッシュ処理を行うことを好む場合にはＦを１に設定しておくものである。このフラッシュモード記憶部２７のフラグＦは、ユーザのフラッシュモード選択キーにより決定される。
【００６９】
また、上述の図５のフローチャートのステップＳ１１とステップＳ１２との間において、情報処理部１０は、フラッシュモード記憶部２７のフラグがゼロであるか１であるかを判定する処理を設け、フラグがゼロの時には処理を終了させ、フラグが１の時には次のステップＳ１３に進むようにしておく。これにより、もし、フラッシュキーＫ４が押される前にユーザがフラッシュモード選択キーを操作することによりフラグＦを１とした場合には、情報処理部１０の処理はステップＳ１３へ進みフラッシュ処理が行われる。一方、もし、フラッシュキーＫ４が押される前にユーザがフラッシュモード選択キーを操作することによりフラグＦがゼロに設定した場合には、情報処理部１０の処理はステップＳ１３に進まず、フラッシュキーＫ４の操作を無効とする。
【００７０】
このように、あらかじめフラッシュ処理が行われないようにフラグＦをゼロに設定することにより、フラッシュキーＫ４の操作を無効とし、フラッシュ処理を禁止することができる。
【００７１】
〔第２の実施の形態〕
次に、本発明の第２の実施の形態について説明する。尚、第１の実施の形態と同一構成部の説明には同一符号を用いて説明する。図７は、ビデオ撮影モードにおける情報処理部１０の処理の流れを示すフローチャートである。この第２の実施の形態では、撮影が開始されてから予め定められた時間間隔でフラッシュ処理（断続発光）を行わせるものである。まず、シャッターキーが操作され、ビデオ撮影処理が開始されると、情報処理部１０は計時部４６から得る時刻情報により、現在時刻がビデオ撮影を開始してから所定の計時タイミングか否かを判別する（ステップＳ１６）。ここでは、所定の計時タイミングは、撮影開始時刻から１秒おきの時刻である。所定の計時タイミングである場合には、時間記憶部２６のタイマー時間Ｔを記録されている値に１を加えた値に書き換える（ステップＳ１７）。なお、撮影開始時には、時間記憶部２６のフラグＴはゼロである。所定の計時タイミングでない場合には、撮影を継続しながら所定の計時タイミングまでステップＳ１６を繰り返す。
【００７２】
次いで、情報処理部１０は、現在の時刻が断続発光開始タイミングであるか否かを判別する（ステップＳ１８）。現在の時刻が断続発光開始タイミングであるか否かの判別は、フラグＴの値に基づいて行われる。例えば、１分間隔で断続発光を開始する場合には、Ｔの秒の単位が００（秒）に達したときを断続発光開始タイミングと判断する。情報処理部１０が現在の時刻が断続発光開始タイミングではないと判別した場合には（ステップＳ１８：Ｎｏ）、情報処理部１０の処理はステップＳ１６に戻る。
【００７３】
現在の時刻が断続発光開始タイミングであると判別した場合には（ステップＳ１８：Ｙｅｓ）、情報処理部１０は乱数を発生させ、ストロボ発光テーブル９０から乱数に応じたフォーマットを選択してそのフォーマットを読み込む（ステップＳ１９）。そして、情報処理部１０は、読み込んだフォーマットに従ってフラッシュ処理を行う（ステップＳ２０）。
【００７４】
次いで、情報処理部１０は、ユーザにより撮影を停止するためにシャッターキーＫ３が操作されたか否かを判別する（ステップＳ２１）。シャッターキーＫ３が操作された場合には（ステップＳ２１：Ｙｅｓ）、情報処理部１０はビデオ撮影処理を停止し、フラグＬをゼロにするとともに、計時部４６の計時を停止し、フラグＴをクリアする。シャッターキーＫ３が操作されていない場合には、情報処理部１０の処理はステップＳ１６に戻る。
【００７５】
第１の実施の形態では、情報処理部１０はユーザによるフラッシュキーＫ４の操作によりフラッシュ処理を開始するが、本実施の形態では、あらかじめ定められた間隔でフラッシュ処理を行うことができる。なお、フラッシュ処理を行う間隔としては１分間隔に限らず、任意に設定することができる。
【００７６】
〔第３の実施の形態〕
次に、本発明の第３の実施の形態について説明する。本実施の形態においても第１の実施の形態と同一構成部の説明には同一符号を用いて説明する。本実施形態においては、実際にストロボ１２を発光させることなくビデオ撮影を行うが、再生時にはあたかもストロボ１２が発光されたかのような画像が再生されるように再生画像の輝度を高める擬似ストロボ発光処理を行う。
【００７７】
ビデオ撮影モードにおいて、情報処理部１０は、ビデオ撮影処理を開始すると、ＣＤＳ／ＡＧＣアンプ７及びＡ／Ｄ変換器８を介して入力した画信号を順次合成していくことで所定の動画データを生成し、その動画データを画像記憶部４２に記憶する。
【００７８】
ビデオ撮影時における情報処理部１０の処理の流れを図８のフローチャートを用いて説明する。情報処理部１０は、キー入力部４３のフラッシュキーＫ４が操作されたか否かを判定する（ステップＳ２２）。ユーザがキー入力部４３のフラッシュキーＫ４を操作したら（ステップＳ２２：Ｙｅｓ）、情報処理部１０は、フラッシュキーＫ４が操作されたときのタイマー時間Ｔ（撮影を開始してからの時間）をＲＡＭ２０に記録するタイマ時間記憶処理を行う（ステップＳ２３）。そして、その後もユーザがフラッシュキーＫ４を操作する度に、情報処理部１０は、その時のタイマー時間Ｔを順次記憶することによって、それら時刻からなるタイムテーブル１００をＲＡＭ２０に記憶する。
【００７９】
図９はＲＡＭ２０のワークエリア２２に記憶されたタイムテーブル１００である。ビデオ撮影時にフラッシュキーＫ４がｎ回操作された場合には、例えば図９に示すように、撮影開始から最初にフラッシュキーＫ４が操作された時刻におけるフラグＴの値Ｔ1が記録される。同様に、２、３、…ｎ回目にフラッシュキーＫ４が操作された時刻におけるフラグＴの値Ｔ2、Ｔ3、…ＴNが順に記録される。
【００８０】
再生モードにおいて、シャッターキーＫ３が押されて動画の再生処理が開始されると、情報処理部１０は、Ｒ／Ｗ制御部４１を介して動画データを画像記憶部４２から読み出し、表示駆動部４４を駆動して動画を表示部４５に表示させる。
図１０は記録した画像を再生するときのデジタルカメラ９９の動作を示すフローチャートである。
動画再生が開始されると、情報処理部１０は計時部４６から得る時刻情報により、現在時刻がビデオ再生を開始してから所定の計時タイミングか否かを判別する（ステップＳ２４）。ここでは、所定の計時タイミングは、再生開始時刻から１秒おきの時刻である。所定の計時タイミングである場合には、時間記憶部２６のタイマー時間Ｔを記録されている値に１を加えた値に書き換える（ステップＳ２５）。なお、再生開始時には、時間記憶部２６のタイマー時間Ｔはゼロである。所定の計時タイミングでない場合には、再生を継続しながら所定の計時タイミングまでステップＳ２４を繰り返す。
【００８１】
次いで、情報処理部１０は、現在の時刻における時間記憶部２６のフラグＴの値がタイムテーブル１００に記憶された値Ｔ1、Ｔ2、Ｔ3、…Ｔnのいずれかと一致するか否かを判別する（ステップＳ２６）。フラグＴの値がタイムテーブル１００に記憶されたいずれの値とも一致しない場合には（ステップＳ２６：Ｎｏ）、情報処理部１０の処理はステップＳ２４に戻る。
【００８２】
フラグＴの値がＴ1、Ｔ2、Ｔ3、…Ｔnのいずれかと一致した場合には（ステップＳ２６：Ｙｅｓ）、情報処理部１０は乱数を発生させ、ストロボ発光テーブル９０から乱数に応じたフォーマットを選択してそのフォーマットを読み込む（ステップＳ２７）。そして、情報処理部１０は、読み込んだフォーマットに従って断続的輝度上昇処理を行う（ステップＳ２８）。
【００８３】
次いで、情報処理部１０は、ユーザにより再生を停止するためにシャッターキーＫ３が操作されたか否かを判別する（ステップＳ２９）。シャッターキーＫ３が操作されていない場合には（ステップＳ２９：Ｎｏ）、情報処理部１０の処理はステップＳ２４に戻る。シャッターキーＫ３が操作された場合には（ステップＳ２９：Ｙｅｓ）、情報処理部１０はビデオ再生処理を停止し、計時部４６の計時を停止し、タイマー時間Ｔをクリアする。なお、記録画像が最後まで再生された場合にも、情報処理部１０によりビデオ再生処理が停止される。
【００８４】
ここで、断続的輝度上昇処理について説明する。本実施の形態では、再生時にストロボ発光テーブルから選択されるフォーマットに応じたタイミングで、画像処理部が再生される画像を断続的に輝度上昇処理することで、ストロボ１２が発光した場面を録画したかのように再生画像を形成する。
【００８５】
図１１は再生される動画中の１フレームの画像の表示領域を示すものであり、Ｘは中央領域、ＹはＸよりも外周の領域、ＺはＹよりも外周の領域である。図１２は図１１のＸ、Ｙ、Ｚの表示領域に対して画像変調を行うタイミングを示すタイムテーブルであり、横軸は時間を示している。図１２のタイムテーブルは、『表示領域Ｘに表示される画像に対し変調Ａを０．２秒×３の時間行い、表示領域Ｙに表示される画像に対し表示領域Ｘよりも０．２秒遅れて変調Ｂを０．２秒×３の時間行い、更に、表示領域Ｚに表示される画像に対し表示領域Ｙよりも０．２秒遅れて変調Ｃを０．２秒×３の時間行う』ことを示している。
【００８６】
ここで、変調Ａ〜Ｃは画像処理部により各コマの画像領域に行われる変調の種類を示している。変調Ａでは、表示領域Ｘに表示される画像の輝度を高め、あるいは白色に近い画像に変調する。また、変調Ｂでは、表示領域Ｙに表示される画像の輝度をＡよりも若干低い輝度に高め、あるいは白色に元の表示画像の色が混ざった白色に変調する。また、変調Ｃでは、対応する表示領域Ｚに表示される画像の輝度をＢよりも若干低い輝度に高め、あるいは白色に元の表意画像の色がＢよりも多く混ざった白色に変調する。
【００８７】
各回の輝度上昇処理では、画像処理部により、図１２のタイムテーブルに基づいて画像の表示領域ごとに変調処理を行う。例えば毎秒３０フレームで撮影した画像に対し、最初の６フレームは表示領域Ｘの画像に変調Ａを行い、次の６フレームには表示領域Ｘの画像に変調Ａを行うとともに表示領域Ｙの画像に変調Ｂを行い、次の６フレームには表示領域Ｘの画像に変調Ａ、表示領域Ｙの画像に変調Ｂ、表示領域Ｚの画像に変調Ｃを行い、次の６フレームには表示領域Ｙの画像に変調Ｂを行うとともに表示領域Ｚの画像に変調Ｃを行うといった処理を行う。
【００８８】
一般に、撮影時には、中央の画素領域に撮影対象となる人や物が配置され、外周部分の画素領域に背景が配置される。このため、中央の画素領域ほどデジタルカメラに近いものが、外周部分の画素領域ほどデジタルカメラから遠いものが撮影される。そして、実際にフラッシュ発光させると、中央の人や物ほど明るく、外周部分の背景は暗く撮影される。
【００８９】
本実施の形態では、上述したように、中央の画素領域ほど明るく、かつ、より早く変調することで、デジタルカメラに近い人や物ほどより早く、かつ、より明るくなるように再生され、背景は人や物よりも遅れて、若干明るくなるように再生される画像を形成する。このため、あたかも実際にフラッシュ発光したかのような再生画像が得られる。しかして、ステップＳ２８の断続的輝度上昇処理は、上述した処理を複数回、例えば５回、０．５秒ごとに行わせるものであり、これによってあたかもフラッシュが頻繁にたかれた画像を撮影したかのごとき画像が再生し得る。
【００９０】
次に、第１〜第３の実施の形態の変形例を示す。第１〜第３の実施の形態においては、ストロボ発光テーブルから乱数によりフォーマットを選択してストロボ１２の発光強度と発光する時間間隔を定めているが、変形例では、ユーザが簡便にストロボ１２の発光強度と発光する時間間隔を定められるようにしている。
【００９１】
図１３はＲＯＭ３０に記憶された見本画像テーブルの例である。見本画像は、所定の撮影条件で撮影された静止画像及び動画像であり、ＲＯＭ３０に記憶されている。見本画像テーブルは、見本画像と、その見本画像が撮影された所定の撮影条件とを関係付けるものである。撮影条件と見本画像との各組み合わせには見本画像番号が付されるとともに、その具体的な内容を端的に示す言葉（例えば「人物と風景」、「アップ」、「お花畑」、「森」、…等）が関係付けられている。これらの言葉は、見本画像とともに、あるいは見本画像を再生する前に、表示部４５に表示される。
【００９２】
ユーザがカーソルキー及び決定キーにより任意の見本画像番号を選択すると、その見本画像番号に関係付けられた見本画像が表示部４５に再生される。見本画像と同様の画像を撮影したい場合には、その見本画像番号を選択した上で、撮影を開始することで、見本画像の撮影時と同じ撮影条件がＲＡＭ２０の撮影条件記憶部２１に読み込まれる。このため、ユーザは見本画像と同様の撮影条件で撮影することができる。
【００９３】
本変形例では、ストロボ１２の発光強度と発光する時間間隔を定めて撮影した見本動画像を複数用意している。そして、これらの見本動画像と、その見本動画像が撮影された撮影条件、及び、ストロボ１２の発光強度と発光する時間間隔とが見本画像テーブルに関係付けられている。各組み合わせには、見本画像番号が付されているとともに、「フラッシュ１」、「フラッシュ２」、「フラッシュ３」、…等の言葉が関係付けられている。
【００９４】
例えば動画の５番には、「フラッシュ１」の言葉が付されており、所定の発光強度および時間間隔でストロボ１２を発光させながら近距離撮影した見本動画像と、その撮影条件とが関係付けられている。また、動画の６番には、「フラッシュ２」の言葉が付されており、所定の発光強度および時間間隔でストロボ１２を発光させながら中距離撮影した見本動画像と、その撮影条件とが関係付けられている。動画の７番には、「フラッシュ３」の言葉が付されており、所定の発光強度および時間間隔でストロボ１２を発光させながら遠距離撮影した見本動画像と、その撮影条件とが関係付けられている。
【００９５】
例えばユーザが見本画像テーブルから動画の５〜７番のいずれかの見本画像番号を選択すると、その見本画像番号に関係付けられた見本動画像が表示部４５に再生される。ユーザは、撮影したい被写体との距離に応じて、見本動画像の一つを選択設定する。見本画像番号を選択することで、見本動画像の撮影時と同じ撮影条件がＲＡＭ２０の撮影条件記憶部２１に読み込まれるとともに、見本動画像と同様のストロボ１２の発光強度と発光する時間間隔を定めたフォーマットがストロボ発光テーブル９０から選択される。このため、ユーザは撮影時と同じ撮影条件、及び見本動画像と同様のストロボ１２の発光強度と発光する時間間隔で撮影することができる。
【００９６】
このように本変形例によれば、ストロボ１２の発光強度と発光する時間間隔を定めて撮影した見本画像を複数用意することで、ユーザが見本画像を見てストロボ１２の発光強度と発光する時間間隔とを容易に把握することができ、撮影する際に見本画像番号を選択することにより、ストロボ１２の発光強度と発光する時間間隔とを簡便に設定することができる。
【００９７】
ここで、第１及び第２の実施の形態のように、実際にストロボ１２を発光させて撮影してもよいし、第３の実施の形態のように、撮影時にはストロボ１２を発光させず、再生時にあたかも実際にストロボ１２が発光したかのような撮影画像が得られるようにしてもよい。
【００９８】
なお、以上の実施の形態においては、スチル撮影、及びビデオ撮影の両方を行うことができるデジタルカメラについて説明したが、本発明はビデオ撮影のみを行うカメラに適用してもよいし、動画の再生機能のみを有する動画再生装置や、動画撮影機能を備えた電子機器、例えば動画撮影機能付き携帯電話、腕時計、ＰＤＡ、パーソナルコンピュータ等にも適用することが出来る。
【図面の簡単な説明】
【００９９】
【図１】本発明に係る撮像装置の構成を示すブロック図である。
【図２】情報処理部によりＲＡＭに作成される記憶領域を表した概略図である。
【図３】図１のＲＯＭに格納されるストロボ発光テーブルである。
【図４】動画撮影時における情報処理部の処理の流れを示すフローチャートである。
【図５】動画撮影時における情報処理部１０の処理の流れを示すフローチャートである。
【図６】図２のＲＡＭの変形例である。
【図７】動画撮影時における情報処理部の処理の流れを示すフローチャートである。
【図８】動画撮影時における情報処理部の処理の流れを示すフローチャートである。
【図９】ＲＡＭの記憶領域に記憶されるタイムテーブルである。
【図１０】動画再生時の情報処理部の処理の流れを示すフローチャートである。
【図１１】再生される画像中の或るコマの画像の画素領域を示す模式図である。
【図１２】図１１の画素領域に対して画像変調を行う時期を示すタイムテーブルである。
【図１３】ＲＯＭに記憶された見本画像テーブルである。
【符号の説明】
【０１００】
６     撮像素子
１０   情報処理部
１２   ストロボ
３０   ＲＯＭ
４２   画像記憶部
４５   表示部
９０   ストロボ発光テーブル
９９   デジタルカメラ
【図１】
2006180149.tif 000003
【図２】
2006180149.tif 000004
【図３】
2006180149.tif 000005
【図４】
2006180149.tif 000006
【図５】
2006180149.tif 000007
【図６】
2006180149.tif 000008
【図７】
2006180149.tif 000009
【図８】
2006180149.tif 000010
【図９】
2006180149.tif 000011
【図１０】
2006180149.tif 000012
【図１１】
2006180149.tif 000013
【図１２】
2006180149.tif 000014
【図１３】
2006180149.tif 000015